(57)【要約】【課題】上階壁組又は下階壁組と床組との接合耐力を向上させることができる建物の枠組構造を得る。【解決手段】枠組構造の住宅において、一階壁組１８の上端部に支持された床組２２の床材３７を屋内側へＢだけオフセットさせることで、二階壁組２０の下端部を根太材３２の端根太２８に直接ビス締めして接合した。従って、床材を間に介する従来構造に比し、二階壁組２０と床組２２との接合耐力を向上させることができる。なお、基礎部の上端部に支持された床組についても同様に床材３７のオフセット構造が採用されており、一階壁組１８の下端部を根太材３２の端根太２８に直接ビス締めして接合する構造が適用される。【選択図】図１
2007262776.tif 000002
【特許請求の範囲】
【請求項１】
下階壁組又は建物の基礎部の上端部に支持されると共に根太材とその上面に取り付けられる床材とを含んで構成され、かつ根太材の端から所定距離だけ建物内方側へオフセットして床材が配置された床組と、
床材を間に介することなく根太材の上面に下端部が直接接合された上階壁組又は下階壁組と、
を有することを特徴とする建物の枠組構造。
【請求項２】
前記根太材は、下階壁組又は建物の基礎部の上端部に沿って配置される断面コ字状の端根太と、この端根太に支持されると共に前記床材の一部を構成する床下地面材が固定される床根太と、を含んで構成されており、
上階壁組又は下階壁組の下端部と床根太との間に挟まれる端根太の上フランジを建物内方側へ延設させると共に、床下地面材の端部を当該上フランジに固定した、
ことを特徴とする請求項１記載の建物の枠組構造。
【請求項３】
前記上階壁組又は下階壁組の内側面と前記床下地面材の端部との間には、前記床材のオフセットを利用して所定のスペースが形成されている、
ことを特徴とする請求項１又は請求項２記載の建物の枠組構造。
【請求項４】
前記床材は、前記床下地面材とその上面に配置された床仕上げ面材とを含んで構成されており、
当該床仕上げ面材は前記床下地材を越えて存在することにより、前記スペースが覆われている、
ことを特徴とする請求項３記載の建物の枠組構造。
【請求項５】
前記上階壁組又は下階壁組は、壁組下縁を構成する溝形のランナー材と、このランナー材に下端部が嵌合された状態で立設される複数のスタッド材と、を含んで構成されていると共に、スタッド材の内側面には壁仕上げ面材が固定具で固定されており、
当該壁仕上げ面材の下端部は前記スペースに納められている、
ことを特徴とする請求項４記載の建物の枠組構造。
【発明の詳細な説明】
【技術分野】
【０００１】
本発明は、下階壁組、床組、及び上階壁組を有する建物の枠組構造に関する。
【背景技術】
【０００２】
下記特許文献１には、一階壁組の上端部に配置された端根太に二階壁組を支持させると共に端根太に支持された床根太に床面材を取り付けて床組を構成する技術が開示されている。
【特許文献１】特許第３５５９５４３号公報
【発明の開示】
【発明が解決しようとする課題】
【０００３】
しかしながら、上記先行技術による場合、端根太の上部まで床下地面材が延在され、二階壁組が床下地面材を介して床組と接合される構造を採っているため、二階壁組と床組との接合耐力が低い。従って、この点において上記先行技術は改良の余地がある。
【０００４】
本発明は上記事実を考慮し、上階壁組又は下階壁組と床組との接合耐力を向上させることができる建物の枠組構造を得ることが目的である。
【課題を解決するための手段】
【０００５】
請求項１記載の本発明に係る建物の枠組構造は、下階壁組又は建物の基礎部の上端部に支持されると共に根太材とその上面に取り付けられる床材とを含んで構成され、かつ根太材の端から所定距離だけ建物内方側へオフセットして床材が配置された床組と、床材を間に介することなく根太材の上面に下端部が直接接合された上階壁組又は下階壁組と、を有することを特徴とする。
【０００６】
請求項２記載の本発明に係る建物の枠組構造は、請求項１記載の発明において、前記根太材は、下階壁組又は建物の基礎部の上端部に沿って配置される断面コ字状の端根太と、この端根太に支持されると共に前記床材の一部を構成する床下地面材が固定される床根太と、を含んで構成されており、上階壁組又は下階壁組の下端部と床根太との間に挟まれる端根太の上フランジを建物内方側へ延設させると共に、床下地面材の端部を当該上フランジに固定した、ことを特徴とする。
【０００７】
請求項３記載の本発明に係る建物の枠組構造は、請求項１又は請求項２記載の発明において、前記上階壁組又は下階壁組の内側面と前記床下地面材の端部との間には、前記床材のオフセットを利用して所定のスペースが形成されている、ことを特徴とする。
【０００８】
請求項４記載の本発明に係る建物の枠組構造は、請求項３記載の発明において、前記床材は、前記床下地面材とその上面に配置された床仕上げ面材とを含んで構成されており、当該床仕上げ面材は前記床下地材を越えて存在することにより、前記スペースが覆われている、ことを特徴とする。
【０００９】
請求項５記載の本発明に係る建物の枠組構造は、請求項４記載の発明において、前記上階壁組又は下階壁組は、壁組下縁を構成する溝形のランナー材と、このランナー材に下端部が嵌合された状態で立設される複数のスタッド材と、を含んで構成されていると共に、スタッド材の内側面には壁仕上げ面材が固定具で固定されており、当該壁仕上げ面材の下端部は前記スペースに納められている、ことを特徴とする。
【００１０】
請求項１記載の本発明の作用は、以下の通りである。
【００１１】
下階壁組又は建物の基礎部の上端部に床組が支持されるが、床組は根太材と床材とを含んで構成されており、本発明では、根太材の端から所定距離だけ建物内方側へオフセットして床材が配置されているため、このオフセットを利用して上階壁組又は下階壁組の下端部を根太材の上面に直接接合することができる。つまり、上階壁組又は下階壁組の下端部と床組の根太材との間に床材を介することなく、上階壁組又は下階壁組の下端部を床組の根太材にダイレクトに接合することが可能となる。従って、上階壁組又は下階壁組の下端部と床組の根太材との間に床材を介する従来構造に比べて、上階壁組又は下階壁組と床組との接合耐力が高くなる。
【００１２】
請求項２記載の本発明によれば、上階壁組又は下階壁組の下端部と床根太との間に挟まれる端根太の上フランジを建物内方側へ延設させると共に、床下地面材の端部を当該上フランジに固定したので、床組自体の耐力を向上させることができる。
【００１３】
請求項３記載の本発明によれば、上階壁組又は下階壁組の内側面と床下地面材の端部との間にオフセットを利用して所定のスペースが形成されているので、このスペースを例えば配線スペース等の収納スペースとして活用することが可能である。
【００１４】
請求項４記載の本発明によれば、上階壁組又は下階壁組の内側面と床下地面材の端部との間に設けられたスペースを例えば配線スペースとして活用した場合に、当該配線を床仕上げ面材で隠すことができる。
【００１５】
請求項５記載の本発明によれば、上階壁組又は下階壁組はランナー材と複数のスタッド材とを含んで構成されており、スタッド材の下端部はランナー材に嵌合された状態で立設されているため、スタッド材の内側面とランナー材のフランジとの間に不陸が生じる。この状態でスタッドの内側面に壁仕上げ面材が固定具で固定されると、壁仕上げ面材の裏面がスタッド材の内側面に密着するため、壁仕上げ面材の下端部が不陸が生じた分だけはねる。しかし、本発明によれば、壁仕上げ面材の下端部は床仕上げ面材で覆われたスペースに納まっているので、例えば巾木等の内部仕上げ材が壁仕上げ面材の下端部のはねの影響を受けずに済む。従って、巾木等の内部仕上げ材の納まりも良くなる。
【発明の効果】
【００１６】
以上説明したように、請求項１記載の本発明に係る建物の枠組構造は、上階壁組又は下階壁組と床組との接合耐力を向上させることができるという優れた効果を有する。
【００１７】
請求項２記載の本発明に係る建物の枠組構造は、床組自体の耐力を向上させることができるという優れた効果を有する。
【００１８】
請求項３記載の本発明に係る建物の枠組構造は、床材の周縁部に収納スペースを確保することができるという優れた効果を有する。
【００１９】
請求項４記載の本発明に係る建物の枠組構造は、建物内部（例えば、居室）の外観品質を向上させることができるという優れた効果を有する。
【００２０】
請求項５記載の本発明に係る建物の枠組構造は、壁仕上げ面材の下端部のはねの問題を解消することができ、内部仕上材への影響を最小限に抑えることができるという優れた効果を有する。
【発明を実施するための最良の形態】
【００２１】
以下、図１〜図３を用いて、本発明に係る建物の枠組構造の一実施形態について説明する。
【００２２】
（周辺構造）
図３には、本実施形態に係る住宅１０の概略図が示されている。この図に示されるように、住宅１０は、基礎部１１、一階部分１２、二階部分１４、及び屋根部分１６を備えている。一点鎖線で囲んだＡ線矢視部（二箇所）が本発明の適用部位であり、基礎部１１の上端部と一階壁組１８の下端部との間、並びに一階壁組１８の上端部と二階壁組２０の下端部との間に床組２２の屋外側の端部がそれぞれ配置されている。
【００２３】
補足すると、この住宅１０はスチール材を使った枠組構造によって構成されており、基礎部１１、（一階）床組２２、一階壁組１８、（二階）床組２２、二階壁組２０、屋根部分１６の順にプラットホーム工法によって構築されるが、本発明の適用対象は必ずしもスチールハウスに限らない。
【００２４】
図１には壁と床の接合部の縦断面図が示されており、又図２には巾木の納まりを示す縦断面図が示されている。
【００２５】
これらの図に示されるように、一階壁組１８は、上縁及び下縁に配置された上下一対の溝形のランナー材２４を備えており、これらのランナー材２４の間にリップ付溝形形状の複数のスタッド材２６が所定の間隔で立設されている。
【００２６】
上記構成の一階壁組１８の上端部には、溝形に形成された端根太２８と、リップ付溝形に形成された床根太３０と、から成る根太材３２の屋外側の端部が載置されている。端根太２８は開放面が屋内側を向くように配置されており、上フランジ２８Ａ、下フランジ２８Ｂ、ウェブ２８Ｃを備えている。かかる端根太２８の内方に、床根太３０の長手方向の端部が嵌合されている。さらに、床根太３０の上面には、床下地面材３４及びフローリング等の床仕上げ面材３６から成る床材３７がビス３８で取り付けられている。
【００２７】
同様に、二階壁組２０は、上縁及び下縁に配置された上下一対の溝形のランナー材４０を備えており、これらのランナー材４０の間にリップ付溝形形状の複数のスタッド材４２が所定の間隔で立設されている。さらに、二階壁組２０の屋内側には、石膏ボード等の壁仕上げ面材４４が図示しないビスで固定されている。
【００２８】
（要部構造）
上述した床根太３０の屋外側の端部上面には、二階壁組２０の下端部が直接接合されており、この点に本実施形態の特徴がある。より具体的に説明すると、端根太２８の上フランジ２８Ａは、床下地面材３４とかぶる程度に屋内側へ延出されている。そして、二階壁組２０の下縁を構成するランナー材４０が端根太２８の上フランジ２８Ａ上に載置され、この状態でランナー材４０の底部４０Ａ及び端根太２８の上フランジ２８Ａが二枚重ねの状態でビス４６で直接固定されることにより、二階壁組２０の下端部が床組２２に直接接合されている。なお、二枚重ねの状態でビス締めする構成自体は、一階壁組１８の上端部と床根太３０の屋外側の端部との接合にも同様に適用されている。
【００２９】
この構成を実現するため、床材３７の屋外側の端部は床根太３０の屋外側の端部から所定距離Ｂ（図１参照）だけオフセットして配置されている。なお、オフセット量Ｂは、二階壁組２０の厚さに壁仕上げ面材４４の厚さを足して更に次述する隙間４８の間隙寸法を足した量に設定されている。これにより、床下地面材３４の屋外側の端部と壁仕上げ面材４４の内側面４４Ａとの間に所定の隙間４８が形成されている。なお、床下地面材３４の屋外側の端部は、端根太２８の上フランジ２８Ａの延長された先端部にビス締めされている。
【００３０】
上記隙間４８は、床仕上げ面材３６の屋外側の端部が壁仕上げ面材４４に当接する程度に床下地面材３４の屋外側の端部を越えて延設されることにより塞がれている。さらに、壁仕上げ面材４４の下端部４４Ａで床仕上げ面材３６の屋外側の端部と交差する位置には、巾木５０が取り付けられている。
【００３１】
なお、上記要部構造は、基礎部１１の上端部と一階壁組１８の下端部との床組２２の屋外側の端部を介した接合にも同様に適用可能である。
【００３２】
（作用・効果）
次に、本実施形態の作用並びに効果について説明する。
【００３３】
本実施形態では、床材３７の屋外側の端部を床根太３０の屋外側の端部から所定距離Ｂだけオフセットして配置したので、このオフセットを利用して二階壁組２０の下端部を端根太２８の上面に直接接合することができる。つまり、二階壁組２０の下端部と床組２２の根太材３２との間に床材３７を介することなく、二階壁組２０の下端部を床組２２の根太材３２にダイレクトに接合することが可能となる。
【００３４】
また、二階壁組２０の下端部と床根太３０との間に挟まれる端根太２８の上フランジ２８Ａを屋内側へ延設させると共に、床下地面材３４の屋外側の端部を当該上フランジ２８Ａにビス３８で固定したので、床組２２自体の耐力を向上させることができる。
【００３５】
さらに、二階壁組２０の内側面と床下地面材３４の屋外側の端部との間にオフセットを利用して隙間４８を形成したので、この隙間４８を例えば配線スペース等の収納スペースとして活用することが可能になる。このため、床材３７の周縁部に収納スペースを確保することができる。
【００３６】
また、二階壁組２０の内側面と床下地面材３４の屋外側の端部との間に設けられた隙間４８を例えば配線スペースとして活用した場合に、当該配線を床仕上げ面材３６で隠すことができる。従って、住宅内部（例えば、居室）の外観品質を向上させることができる。
【００３７】
さらに、二階壁組２０はランナー材４０と複数のスタッド材４２とを含んで構成されており、スタッド材４２の下端部はランナー材４０に嵌合された状態で立設されているため、スタッド材４２の内側面４２Ａとランナー材４０の屋内側のフランジ４０Ｂとの間に不陸が生じる。この状態でスタッド材４２の内側面４２Ａに壁仕上げ面材４４が図示しないビスで固定されると、壁仕上げ面材４４の裏面（屋外側の面）がスタッド材４２の内側面４２Ａに密着するため、壁仕上げ面材４４の下端部４４Ａがはねる。しかし、本実施形態によれば、壁仕上げ面材４４の下端部４４Ａは床仕上げ面材３６で覆われた隙間４８に納まっているので、壁仕上げ面材４４の下端部４４Ａのはねの影響を受けずに済む。従って、巾木５０の納まりも良くなる。その結果、壁仕上げ面材４４の下端部４４Ａのはねの問題を解消することができ、内部仕上材への影響を最小限に抑えることができる。
【００３８】
また、従来構造の場合、一階壁組の上端部と二階壁組の下端部との間に床下地面材が介在されているため、建方時、床下地面材を配置しないことには二階壁組を設置することができなかったが、本実施形態によれば、二階壁組２０或いは屋根部分１６まで建てた後に床下地面材３４を端根太２８の上フランジ２８Ａにかぶせて設置するといったことが可能になる。つまり、床下地面材３４を施工しなくても、二階壁組２０や屋根部分１６まで施工することができる。従って、プラットホーム工法を用いて住宅１０を構築する際に、効率良く施工することができ、工期の短縮にも繋がる。
【００３９】
〔上記実施形態の補足説明〕
上述した本実施形態では、二階建ての住宅１０を例にして説明したが、本発明の適用対象には、住宅以外の用途の建物も含まれ、又三階建て等、二階建て以外の複数階建ての建物も含まれる。また、前述したように、一階壁組と一階床組と基礎部との関係（図３の下側のＡ線矢視部）において本発明を適用してもよい。
【図面の簡単な説明】
【００４０】
【図１】図３のＡ線矢視部の拡大図であり、壁と床の接合部を示す要部拡大縦断面図である。
【図２】巾木の納まりを示す図１に対応する要部拡大縦断面図である。
【図３】本実施形態に係る住宅の概略図である。
【符号の説明】
【００４１】
１０   住宅（建物）
１１    基礎部
１８   一階壁組（下階壁組）
２０   二階壁組（上階壁組）
２２   床組
２８   端根太
３０   床根太
３２   根太材
３４   床下地面材
３６   床仕上げ面材
３７   床材
４０   ランナー材
４２   スタッド材
４２Ａ 内側面
４４   壁仕上げ面材
４４Ａ   下端部
４６   ビス（固定具）
４８   隙間（スペース）
５０   巾木
【図１】
2007262776.tif 000003
【図２】
2007262776.tif 000004
【図３】
2007262776.tif 000005